(57)【要約】【課題】コネクタを大型化することなく、相手側コネクタの取付位置のズレを吸収すること。【解決手段】コネクタ（１）が、収容空間（１４）を有するハウジング（２）と、相手側コネクタ（９６）に対する導体パターン（７６）が形成された中継部材（３）と、収容空間内において中継部材を浮動可能に支持する一対の板バネ部（５）と、ハウジングに形成された開口（１２）から突出して相手側コネクタに連結されるように、中継部材に固定されたプラグ（４）とを備える構成とした。【選択図】図６
2013020838.tif 000002
【特許請求の範囲】
【請求項１】
収容空間を有するハウジングと、
相手側コネクタに対する導通経路が形成された中継部材と、
前記収容空間内において前記中継部材を浮動可能に支持する支持部材と、
前記ハウジングに形成された開口から突出して前記相手側コネクタに連結されるように、前記中継部材に固定された連結部材とを備えたことを特徴とするコネクタ。
【請求項２】
前記支持部材は、前記相手側コネクタに連結される連結方向に直交する側方から前記中継部材に対して弾接する板バネであることを特徴とする請求項１に記載のコネクタ。
【請求項３】
前記ハウジングの収容空間にはカードが装着され、
前記中継部材の導通経路は、前記カード及び前記相手側コネクタを導通させるように形成されることを特徴とする請求項１又は請求項２に記載のコネクタ。
【請求項４】
前記中継部材は、前記連結部材が固定された縦向きの基板を有しており、
前記基板では、前記連結部材に対する電極ピッチが、前記カードに対する電極ピッチよりも小さくなるように導体パターンが形成されることを特徴とする請求項３に記載のコネクタ。
【請求項５】
前記支持部材は、前記中継部材及び前記カードを前記収容空間において浮動可能に支持することを特徴とする請求項３又は請求項４に記載のコネクタ。
【請求項６】
前記支持部材は、前記相手側コネクタに連結される連結方向に直交する側方から前記中継部材及び前記カードに対して弾接する板バネであることを特徴とする請求項３から請求項５のいずれかに記載のコネクタ。
【発明の詳細な説明】
【技術分野】
【０００１】
本発明は、コネクタに関し、特に、テレビジョン装置に使用されるＣＩカード用の小型のコネクタに関する。
【背景技術】
【０００２】
従来、コネクタとして、フローティング構造を実装したものが知れている（例えば、特許文献１参照）。このコネクタは、固定ハウジングから延びる多数の端子の自由端側に浮動ハウジングを固定して構成されている。多数の端子の自由端側は、接点部を露出させた状態で浮動ハウジングに一体に保持されている。コネクタが相手側コネクタに抜き差しされると、多数の端子の弾性変形によって浮動ハウジングが固定ハウジングに対して移動される。この浮動ハウジングの移動により、相手側コネクタの取付位置のズレを吸収するようにしてコネクタ同士が連結される。
【先行技術文献】
【特許文献】
【０００３】
【特許文献１】特開２０１１−４８９８２号公報
【発明の概要】
【発明が解決しようとする課題】
【０００４】
しかしながら、上記したような従来のコネクタにおいては、多数の端子の弾性変形によって相手側コネクタの位置ズレが吸収されるため、このズレを吸収できる程度に端子の長さを確保しなければならなかった。このため、コネクタが大型化するという問題があった。
【０００５】
本発明はこのような実情に鑑みてなされたものであり、コネクタを大型化することなく、相手側コネクタの位置ズレを吸収できるコネクタを提供することを目的とする。
【課題を解決するための手段】
【０００６】
本発明のコネクタは、収容空間を有するハウジングと、相手側コネクタに対する導通経路が形成された中継部材と、前記収容空間内において前記中継部材を浮動可能に支持する支持部材と、前記ハウジングに形成された開口から突出して前記相手側コネクタに連結されるように、前記中継部材に固定された連結部材とを備えたことを特徴とする。
【０００７】
この構成によれば、連結部材が固定された中継部材がハウジングに対して浮動されるため、相手側コネクタの位置にズレが生じる場合に、このズレを吸収してコネクタを相手側コネクタに適切に接続できる。また、従来のように端子の弾性変形を利用する構成と異なり、支持部材によって中継部材が浮動されるため、導通経路に長尺状の端子を用いる必要がなくコネクタが大型化することがない。
【０００８】
また本発明は、上記コネクタにおいて、前記支持部材は、前記相手側コネクタに連結される連結方向に直交する側方から前記中継部材に対して弾接する板バネである。この構成によれば、板バネの弾接力によって中継部材を浮動可能に支持することができ、簡易な構成で相手側コネクタの位置ズレを吸収できる。
【０００９】
また本発明は、上記コネクタにおいて、前記ハウジングの収容空間にはカードが装着され、前記中継部材の導通経路は、前記カード及び前記相手側コネクタを導通させるように形成される。この構成によれば、カード用のコネクタにおいてコネクタ全体を大型化することなく、相手側コネクタの位置ズレを吸収できる。
【００１０】
また本発明は、上記コネクタにおいて、前記中継部材は、前記連結部材が固定された縦向きの基板を有しており、前記基板では、前記連結部材に対する電極ピッチが、前記カードに対する電極ピッチよりも小さくなるように導体パターンが形成される。この構成によれば、基板においてカードに合わせた電極ピッチよりも連結部材に合わせた電極ピッチが小さいため、カードよりも連結部材を小型化できる。よって、連結部材に連結される相手側コネクタを小型化することができ、メイン基板に対する相手側コネクタの実装面積を省スペース化できる。また、ハウジング内において基板が縦向きに収容されるため、コネクタ全体の寸法増加を最小限に抑えることができる。
【００１１】
また本発明は、上記コネクタにおいて、前記支持部材は、前記中継部材及び前記カードを前記収容空間において浮動可能に支持する。この構成によれば、ハウジング内において中継部材と共にカードが浮動可能に支持されるため、ハウジング内でカードが揺れ動いて雑音を立てることがない。
【００１２】
また本発明は、上記コネクタにおいて、前記支持部材は、前記相手側コネクタに連結される連結方向に直交する側方から前記中継部材及び前記カードに対して弾接する板バネである。この構成によれば、板バネの弾接力によって中継部材と共にカードを浮動可能に支持することができ、簡易な構成でハウジング内のカードの揺れを防止しつつ、相手側コネクタの取付位置のズレを吸収できる。
【発明の効果】
【００１３】
本発明によれば、コネクタを大型化することなく、相手側コネクタの取付位置のズレを吸収できる。
【図面の簡単な説明】
【００１４】
【図１】本実施の形態に係るカードの斜視図である。
【図２】本実施の形態に係るコネクタの上方を開放した斜視図である。
【図３】本実施の形態に係る端子保持体の斜視図である。
【図４】本実施の形態に係る中継基板の平面図である。
【図５】本実施の形態に係るコネクタの取付状態の説明図である。
【図６】本実施の形態に係るコネクタのズレ吸収構造の説明図である。
【図７】変形例に係るカードコネクタの一例を示す図である。
【発明を実施するための形態】
【００１５】
以下、本発明の実施の形態について添付図面を参照して詳細に説明する。なお、以下においては、ＣＩ（Common  Interface）を備えたテレビジョン装置向けのカード用コネクタを例示して説明する。しかしながら、コネクタは、カード用コネクタに限定されるものではなく適宜変更可能である。例えば、本発明のコネクタを、ケーブルコネクタにも適用可能である。
【００１６】
まず、本実施の形態に係るコネクタについて説明する前に被装着部材となるカードについて説明する。図１は、本実施の形態に係るカードの斜視図である。
【００１７】
図１に示すように、カード９は、テレビジョン装置等のＣＩスロットに差し込まれるＣＩカードであり、上面視長方形状に形成されている。カード９の長手方向における一端面には、複数のソケット端子９１が上下２列で設けられており、このソケット端子９１が設けられる側が挿入方向の先端側とされ、逆側が挿入方向における後端側とされる。カード９の先端側の両側面には、先端から後端側に向って切り欠かれた切欠部９２ａ、９２ｂが形成されている。切欠部９２ａは、厚み方向の中間部分が切り欠かれて形成され、切欠部９２ｂは、厚み方向の下端部分を残して切り欠かれて形成される。
【００１８】
この左右の切欠部９２ａ、９２ｂの形状の違いによって、カード９の表裏が識別される。本実施の形態では、カード９の先端側において切欠部９２ｂによって切り欠かれた一面が表面となり、その逆側が裏面になっている。カード９は、切欠部９２ｂが上方を向いた状態でコネクタ１に対して挿入されたときのみ、コネクタ１の奥方まで装着される。
【００１９】
次に、図２から図４を参照して、コネクタの全体構成について説明する。図２は、本実施の形態に係るコネクタの上方を開放した斜視図である。図３は、本実施の形態に係る端子保持体の斜視図である。図４は、本実施の形態に係る中継基板の平面図である。
【００２０】
図２に示すように、本実施の形態に係るコネクタ１は、合成樹脂製のハウジング２を有している。ハウジング２は、上面及び前面を開口した下部ハウジング２１に対して、下面及び前面を開口した上部ハウジング２２が装着されることで、前面に挿入口を有する箱状に形成される。ハウジング２の奥方には、カード９と相手側コネクタ９６（図５参照）とを中継する中継部材３が収容されている。中継部材３には、カード９のソケット端子９１に挿通される多数のピン端子６１が保持されている。
【００２１】
また、中継部材３には、ハウジング２の奥壁部２３の開口１２（図６参照）を介して外方に突出するプラグ（連結部材）４が固定されている。この開口１２は、プラグ４よりも僅かに大きく形成されており、遊び（隙間）を持ってプラグ４を外方に突出させている。プラグ４内には、多数のピン端子６１のそれぞれに導通する多数の端子（不図示）が設けられている。また、ハウジング２には、両側壁部２４に沿って挿入口１１側（図５参照）から略中間位置まで延在する一対の隔壁部２５が設けられている。一対の隔壁部２５は、カード９の側面をガイドすると共に、中継部材３の挿入口１１側への移動を規制（抜け止め）している。また、一対の隔壁部２５と両側壁部２４との間には、一対の板バネ（支持部）５が設けられている。
【００２２】
一対の板バネ５は、金属板材を折り曲げて形成されており、幅方向に延在する連結板部５１によって奥壁部２３側で連結されている。各板バネ５には、両側壁部２４に沿う側板部５２に前後一対の弾接片５３ａ、５３ｂが形成されている。弾接片５３ａは、側板部５２の中間位置を基端として奥側を切り起こした片持バネであり、中継部材３の側面に弾接する。弾接片５３ｂは、側板部５２の中間位置を基端として前側を切り起こした片持バネであり、隔壁部２５に設けた切欠き１３を介してカード９の側面に弾接する。中継部材３及びカード９は、一対の板バネ５によって両側方から弾接されることで、収容空間１４内において浮動可能に支持される。
【００２３】
また、中継部材３及びカード９は、一対の板バネ５の弾性力によってハウジング２内で揺れ動かないように支持されている。このため、中継部材３及びカード９の揺れ動きによって発生するハウジング２内の雑音が抑制される。一対の側板部５２の奥壁部２３側には、収容空間１４側に折り曲げた弾接片５３ｃが形成されており、中継部材３のグラウンド端子７３（図４参照）に弾接される。このため、弾接片５３ｂに弾接されたカード９の側面とグラウンド端子７３とが板バネ５を介して電気的に接続され、カード９の外面に発生する静電ノイズ等がグラウンド端子７３に流される。
【００２４】
図３Ａ、Ｂに示すように、中継部材３は、カード９の前端側が装着されるカード保持部６に、プラグ４が固定された中継基板（基板）７を取り付けて構成される。カード保持部６は、収容空間１４内を幅方向に延在する端子保持部６２に多数のピン端子６１を保持している。多数のピン端子６１は、端子保持部６２の延在方向に沿って上下２列で並んでおり、挿入口１１に向って突出してカード９の多数のソケット端子９１にそれぞれ接続される。また、カード保持部６は、端子保持部６２の延在方向の両端部から前方に延出する一対のガイド部６３によって、一対の隔壁部２５と共にカード９の挿入をガイドしている。
【００２５】
一対のガイド部６３には、カード９の表面、裏面、側面に沿って上壁部６４、底壁部６５、側壁部６６が形成されている。各ガイド部６３の側壁部６６には、カード９の切欠部９２ａ、９２ｂに対応した凸部６７ａ、６７ｂが形成されている。凸部６７ａ、６７ｂは、ピン端子６１よりも挿入口１１側に延びている。したがって、カード９が表裏反転状態で挿入されたときは、凸部６７ｂによってカード９の挿入が規制され、ソケット端子９１にピン端子６１が挿入されることが防止される。このように、一対のガイド部６３によってコネクタ１に対するカード９の誤挿入が防止される。
【００２６】
また、カード保持部６には、端子保持部６２の両端部から奥方に突出する一対の突起部６８が設けられている。一対の突起部６８には、カード挿入方向に板面を向けた縦向きの中継基板７が取り付けられている。中継基板７は、収容空間１４内を幅方向に延在しており、カード保持部６とは逆側の裏面にプラグ４が固定されている。中継基板７の両板面には、ピン端子６１とプラグ４内の端子を導通するための導通経路が形成されている。中継基板７には、導通経路の一部として上下２列に並んだ多数の電極穴７４が設けられている。各電極穴７４には、それぞれ端子保持部６２から奥方に突出したピン端子６１が挿通される。
【００２７】
中継基板７の導通経路は、裏面７２においてプラグ４の電極ピッチが電極穴７４の電極ピッチよりも小さく形成されている。すなわち、本実施の形態に係るコネクタ１では、中継基板７の導通経路を介して、カード９に対する電極ピッチから相手側コネクタ９６に対する電極ピッチに変換されている。このように、導通経路が形成された中継基板７を介してピン端子６１をプラグ４に電気的に接続することで、ピン端子６１の電極ピッチに依存しない小型のプラグ４を用いることができる。
【００２８】
ここで、図４を参照して、中継基板について簡単に説明する。図４Ａに示すように、中継基板７は、高さ方向の中間部分に多数の電極穴７４が上下２列に横並びに配置されている。多数の電極穴７４は、スルーホールとなっており、表面７１から裏面７２に向けて貫通している。また、図４Ｂに示すように、中継基板７の裏面７２には、電極穴７４から上下方向に外れたスペースにプラグ４用の多数の電極パッド７５が設けられている。多数の電極パッド７５は、電極穴７４よりも小さな電極ピッチで横並びに配置されている。
【００２９】
中継基板７は、複数の層からなる多層基板であり、層間に破線に示すような導体パターン（導通経路）７６が形成されている。これら導体パターン７６は、電極穴７４と電極パッド７５とを接続しており、多数の電極穴７４が配置された高さ方向における中間領域の上下のスペースに配置されている。このように、中継基板７の導体パターン７６を介してピン端子６１とプラグ４の端子とが導通されるため、ハウジング２を大型化することなく電極ピッチの異なるカード９と小型のプラグ４とを接続できる。
【００３０】
また、中継基板７の裏面７２には、延在方向の両端部に一対のグラウンド端子７３が形成されている。この一対のグラウンド端子７３には、上述したように一対の板バネ５を介してカード９の側面が電気的に接続されている。このように構成されたコネクタ１は、テレビジョン装置の相手側コネクタに連結されることで、テレビジョン装置のカードスロットとして機能する。
【００３１】
以下、図５を参照して、テレビジョン装置の背面パネルに対するコネクタの取り付けについて説明する。図５は、本実施の形態に係るコネクタの取付状態の説明図である。なお、図５においては、説明の便宜上、テレビジョン装置の背面パネルを破線で示している。
【００３２】
図５Ａに示すように、テレビジョン装置の背面パネル８は、コネクタ１を取り付けるための段差が設けられている。背面パネル８の上段部分８１の内側には、メイン基板９５が配置されており、メイン基板９５上にはソケット型の相手側コネクタ９６が取り付けられている。背面パネル８の上端部分と下段部分との間の側壁部分８２には、相手側コネクタ９６の挿入口を外部に露出する開口８４が形成されている。また、背面パネル８の下段部分８３には、開口８４を挟んで相手側コネクタ９６に対向するように、コネクタ１の取付領域が設けられている。
【００３３】
コネクタ１の取付領域は、側壁部分８２に近い側が僅かに低く形成され、側壁部分８２から離れた側が僅かに高く形成されている。僅かに低く形成された部分は、ハウジング２の前端部分２６を支持する前端支持面８５となっており、僅かに高く形成された部分は、ハウジング２の後方部分２７を支持する後方支持面８６となっている。前端支持面８５には、ハウジング２を位置決めする一対の長穴８７が形成されている。一対の長穴８７は、所定の間隔を空けてコネクタ１の連結方向に沿って平行に延在している。後方支持面８６には、ハウジング２をフック止めするための係合穴８８が形成されている。
【００３４】
コネクタ１は、ハウジング２の開口からプラグ４を突出させている。ハウジング２の上下面は、前端支持面８５に支持される前端部分２６が、後方支持面８６に支持される後方部分２７よりも高くなるように形成されている。ハウジング２の前端部分２６には、一対の長穴８７に対応して一対の位置決めピン２８が設けられ、ハウジング２の後方部分２７には、係合穴８８に対応してフック２９が設けられている。
【００３５】
図５Ｂに示すように、コネクタ１は、一対の位置決めピン２８及びフック２９がそれぞれ一対の長穴８７及び係合穴８８に差し込まれることで、開口部８４に対する左右方向の位置決めが行われる。そして、開口８４に向けてコネクタ１がスライドされることで、プラグ４が相手側コネクタ９６（ソケット）に差し込まれる。フック２９は、ハウジング２の後端から前方に向う略Ｌ字状に形成されているため、コネクタ１のスライドによって背面パネル８に係止される。背面パネル８に取り付けられたコネクタ１には、ハウジング２の挿入口１１からカード９が装着される。
【００３６】
このように構成されたコネクタ１は、カード９に対する電極ピッチよりもプラグ４に対する電極ピッチが小さく形成されるため、プラグ４が小型化されている。このため、コネクタ１に連結される相手側コネクタ９６を小型化することができ、相手側コネクタ９６のメイン基板９５に対する実装面積を省スペース化できる。また、コネクタ１は、ハウジング２内に設けた板バネ５によってハウジング２に対してプラグ４が浮動可能に支持されている。したがって、ＴＶのパネルに対するメイン基板９５と相手側コネクタ９６の取付位置にズレが生じる場合でも、このズレを吸収してコネクタ１を相手側コネクタ９６に接続できる。
【００３７】
図６を参照して、相手側コネクタの取付け位置にズレが生じた場合におけるコネクタのズレ吸収について説明する。図６は、本実施の形態に係るコネクタのズレ吸収構造の説明図である。
【００３８】
図６Ａに示すように、ＴＶの背面パネル８に対して、メイン基板９５が僅かに横ズレして取付られている。これに対して、ハウジング２が背面パネル８に対して左右方向に位置決め状態で取り付けられているため、プラグ４の中心線Ｌ１と相手側コネクタ９６の中心線Ｌ２との間に僅かなズレが生じている。本実施の形態に係るコネクタ１では、プラグ４が固定された中継部材３は、一対の板バネ５によって側方から浮動可能に支持され、プラグ４は、ハウジング２の開口１２から遊びを持った状態で突出されている。
【００３９】
このため、左右の板バネ５の撓み量の違いによって、背面パネル８に位置決め状態で取り付けられたハウジング２に対して中継部材３が左右方向に移動される。より具体的には、一方の板バネ５の撓み量が大きくなり、他方の板バネ５の撓み量が小さくなることで、撓み量が減少した板バネ５側に中継部材３が移動される。この構成により、ハウジング２に対してプラグ４を左右方向に移動させて、図６Ｂに示すように、中心線Ｌ１、Ｌ２を合わせてプラグ４を相手側コネクタ９６に連結できる。
【００４０】
なお、図６Ｂにおいては、コネクタ１にカード９を装着した状態で相手側コネクタ９６にプラグ４を連結させているが、この構成に限定されない。プラグ４と相手側コネクタ９６とを連結した後でカード９を装着してもよい。また、一対の板バネ５の弾接片５３ａ、５３ｂにより、カード９の前端部及び中間部が両側方から弾接されるため、ハウジング２に対するカード９の傾きが抑えられる。
【００４１】
以上のように、本実施の形態に係るコネクタ１によれば、ハウジング２に対して中継部材３が浮動されるため、相手側コネクタ９６の取付位置にズレが生じる場合に、このズレを吸収してプラグ４と相手側コネクタ９６とを適切に接続できる。また、従来のように端子の弾性変形を利用する構成と異なり、導通経路に長尺状の端子を用いる必要がなくコネクタ１が大型化することがない。また、中継基板７においてカード９に対する電極ピッチよりもプラグ４に対する電極ピッチが小さいため、カード９よりもプラグ４を小型化できる。よって、プラグ４に連結される相手側コネクタ９６を小型化することができ、メイン基板９５に対する相手側コネクタ９６の実装面積を省スペース化できる。また、ハウジング２に中継基板７が縦向きに収容されるため、コネクタ全体の寸法増加を最小限に抑えることができる。
【００４２】
なお、本発明は上記実施の形態に限定されず、種々変更して実施することが可能である。上記実施の形態において、添付図面に図示されている大きさや形状などについては、これに限定されず、本発明の効果を発揮する範囲内で適宜変更することが可能である。その他、本発明の目的の範囲を逸脱しない限りにおいて適宜変更して実施することが可能である。
【００４３】
例えば、上記した実施の形態においては、プラグを中継基板の略中央に設ける構成としたが、この構成に限定されるものではない。中継基板の導体パターンを介してピン端子とプラグの端子が接続される構成であればよく、例えば、図７Ａに示すように、中継基板１０７の略下半部にプラグ１０４を設ける構成としてもよい。この場合、図７Ｂ、Ｃに示すように、中継基板１０７の略上半部に多数の電極穴１１１を上下２列で横並びに配置し、中継基板１０７の略下半部にプラグ１０４用の電極パッド１１２を配置するようにする。なお、図７では説明の便宜上、板バネを省略して記載している。
【００４４】
また、本実施の形態においては、一対の板バネによりプラグを浮動可能に支持する構成としたが、この構成に限定されない。プラグを浮動可能に支持する構成であればよく、例えば、板バネの代わりに緩衝材によってプラグを支持してもよいし、ハウジングの一部を切り起こして支持部材を形成してもよい。
【００４５】
また、本実施の形態においては、中継部材にプラグを設け、相手側コネクタをソケット型のコネクタとして説明したが、この構成に限定されない。中継部材にソケットを設け、相手側コネクタをプラグ型のコネクタとしてもよい。
【００４６】
また、本実施の形態においては、相手側コネクタの左右方向の位置ズレを吸収する構成としたが、この構成に限定されない。コネクタ間の位置ズレを吸収する構成であればよく、例えば、上下方向の位置ズレを吸収する構成としてもよい。この場合、ハウジング内において上下方向から中継部材を支持するようにする。また、一致の板バネによって挟持された中継部材を上下方向に摺動させて、コネクタ間の上下方向の位置ズレを吸収してもよい。
【００４７】
また、本実施の形態においては、カードとしてテレビジョン装置に用いられるＣＩカードを例示して説明したが、この構成に限定されるものではない。コネクタに対して装着可能なカードであればよく、例えば、マルチメディアカード、ＳＤカード、レデュースサイズマルチメディアカード、メモリースティック、ＰＣＩカード等のカード用コネクタに適用してもよい。
【００４８】
また、本実施の形態においては、１種類のカードに対応可能な構成としたが、この構成に限定されない。中継基板を用いた電極ピッチの変換や相手側コネクタの位置ズレの吸収構造は、複数の種類に対向可能なコンバイン型のカード用コネクタに適用することも可能である。
【００４９】
また、本実施の形態においては、カード用コネクタを例示して説明したが、この構成に限定されない。中継基板を用いた電極ピッチの変換や相手側コネクタの位置ズレの吸収構造は、カード用コネクタ以外のケーブルコネクタに対しても適用可能である。
【産業上の利用可能性】
【００５０】
以上説明したように、本発明は、コネクタを大型化することなく、相手側コネクタの取付位置のズレを吸収できるという効果を有し、特に、テレビジョン装置に使用されるＩＣカード用の小型のコネクタに有用である。
【符号の説明】
【００５１】
１  コネクタ
２  ハウジング
３  中継部材
４  プラグ（連結部材）
５  板バネ（支持部）
７  中継基板（基板）
９  カード
１１  挿入口
１２  開口
１４  収容空間
６１  ピン端子
７３  グラウンド端子
７４  電極穴
７５  電極パッド
７６  導体パターン（導通経路）
９５  メイン基板
９６  相手側コネクタ
【図１】
2013020838.tif 000003
【図２】
2013020838.tif 000004
【図３】
2013020838.tif 000005
【図４】
2013020838.tif 000006
【図５】
2013020838.tif 000007
【図６】
2013020838.tif 000008
【図７】
2013020838.tif 000009